(57)【特許請求の範囲】
【請求項１】
上下端に雄雌連結構造を有する合成樹脂材よりなる建築用パネルにおいて、上端の固定面に突起の間隔を固定具の釘部の直径と殆ど同じ幅で突出した突条２条を形成したことを特徴とする建築用パネル。
【発明の詳細な説明】
【０００１】
【産業上の利用分野】
本発明は建築物、構築物の内装材、外装材、特にリフォーム（改修）に最適で、施工性、耐候性、耐腐食性が良い建築用パネルに関するものである。
【０００２】
【従来の技術】
一般に、内装材、外装材としては窯業系サイディング材、金属系サイディング材を使用した乾式工法が主流となってきている。特にリフォーム（改修）、海岸近傍等の特殊環境等には高価なアルミニウム、あるいはステンレス、もしくはチタン等が用いられている。また、施工場所によっては樹脂製のパネルも使用されていた。
【０００３】
【発明が解決しようとする課題】
しかしながら、窯業系サイディング材では重くて施工性が悪く、かつ防水性、塗膜の耐久性に欠ける不利があった。さらに金属系サイディング材、特に表面材として表面処理鋼板を使用した場合には錆等に対する耐腐食性もしくは耐薬品性等に問題があり、このために防食性のよい特殊塗膜で被覆する必要がありコストアップとなる弱点があった。また、樹脂パネルは防火性が無く、使用できる範囲は大変狭いものであった。さらに、樹脂パネルの固定は非常に難しく、図１６に示すように、固定面にルーズホールを形成すると共に、固定面と固定具βの頭部β１  間に間隙ａ（約１ｍｍ）を形成し、樹脂パネル自体が強固に固定されることのないようにしなければならないものであった。
【０００４】
【課題を解決するための手段】
本発明はこのような欠点を除去するため、上下端に雄雌連結構造を有する合成樹脂材よりなる建築用パネルにおいて、上端の固定面に突起の間隔を固定具の釘部の直径と殆ど同じ幅で突出した突条２条を形成した建築用パネルとすることにより、施工性、耐候性、防錆性、耐腐食性が良い建築用パネルを提案するものである。
【０００５】
【実施例】
以下に、図面を用いて本発明に係る建築用パネルの一実施例について詳細に説明する。図１は本発明に係る建築用パネルの代表的な一例を示す断面図であり、Ａは建築用パネルで表面材１と裏面材２間に芯材３を形成し、上下端に雄型連結部４、雌型連結部５を形成したものである。
【０００６】
さらに説明すると、表面材１は例えば合成樹脂（プラスチック）の押出成型品よりなるものであり、合成樹脂としては例えば塩化ビニール樹脂、ポリエチレン（ＰＥ）、ポリプロピレン（ＰＰ）、ポリカーボネート（ＰＣ）、アクリル樹脂、ポリエステル樹脂、ポリスチレン樹脂、スチロール樹脂、メタクリル樹脂、ポリウレタン樹脂、フェノール樹脂、アルキッド樹脂、ユリア樹脂（尿素樹脂）、メラミン樹脂、フッ素樹脂、ケイ素樹脂、繊維強化プラスチック（ＦＲＰ）、等の一種である。なお、塩化ビニールの押出品が生産性、値段、性能（耐候性）の面において良好である。
【０００７】
雄型連結部４は図３に示すように、化粧面６の下端を内方に屈曲した側面７と、側面７の先端を上方に突出した上面８と、上面８の先端を下方に屈曲して垂下した嵌合面９と、嵌合面９と上面８とから断面略逆Ｕ字状に形成した嵌合溝１０とから形成したものである。
【０００８】
雌型連結部５は図４、図５（拡大断面図）、および図６に示すように、化粧面６の上端を内方に図では傾斜して屈曲した側面１１と、側面１１の先端を上方に突出した係合面１２と、係合面１２の根本を上方に突出した下面１３と、下面１３と係合面１２とから断面略Ｕ字状に形成した係合溝１４と、下面１３をさらに突出した固定面１５と、固定面１５に形成した２本の突条１６と図６に示すように固定面１５に形成した長孔の固定孔１７からなる固定部１８とから形成したものである。
【０００９】
嵌合溝１０は、雌型連結部５の係合面１２を嵌合し、図２に示すように躯体αに固定具βを介して固定面１５を固定し壁面を形成するものである。
【００１０】
固定面１５は図２に示すように固定具βにより躯体αに建築用パネルＡを固定するための部分である。
【００１１】
固定部１８は図２、および図５に拡大して示すように、突条１６を２本形成することにより固定具βの頭部β１  が固定面１５まで固定せずに形成できるようにしたものであり、突条１６間の寸法は固定具βの釘部β２  の直径と殆ど同じ寸法とするものである。また、突条１６は５〜１０ｍｍ位の高さに形成し、固定具βの施工性を向上するものである。
【００１２】
このために、施工された建築用パネルＡは熱による伸縮を吸収でき、建築用パネルＡ自体が伸縮により変形し、化粧面６が歪んでしまうことが無く、また、熱収縮による変形により、躯体αから建築用パネルＡが剥離してしまうことがないものである。さらに、固定部１８は固定具βを垂直に固定するのに有効であり、難しい樹脂パネルの固定能率の向上、固定の簡素化、固定の確実化を図るものである。
【００１３】
固定孔１７は、図６に示すように横長（ルーズホール）に形成するものであり、表面材１の長手方向の熱伸縮による変形が固定具βの打設により邪魔されずにこの固定孔１７により吸収されるものである。このために、固定面１５が固定具βにより堅く固定された場合に起こる表面材１の変形により、固定具βから固定面１５が脱落することがなく、建築用パネルＡが躯体α（木造下地、鉄骨下地、アスファルトフェルト等）より剥離するのを防止するものである。勿論、固定具βは固定孔１７の中心部に固定するものである。
【００１４】
また、裏面材２は建築用パネルＡをサンドイッチ構造として強度を向上するためのものである。その素材としては、例えばクラフト紙、アルミニウム箔、アルミクラフト紙、不織布（炭素、アルミナ、ロックウール、グラファイト、ガラス等の無機繊維、ポリエステル系、ナイロン系、アラミド系の樹脂製）、アスファルトフェルト、あるいは金属箔、もしくは金属シートの一種をロール成形、プレス成形、押出成形等によって各種形状に成形したものである。
【００１５】
芯材３は表面材１の裏面の樋状部１９に合成樹脂発泡体２０を裏打材（バックアップ材）として一体に設けたものであり、合成樹脂発泡体２０としてはポリウレタンフォーム、ポリイソシアヌレートフォーム、フェノールフォーム、塩化ビニルフォーム、ポリエチレンフォーム、ポリスチレンフォーム、ユリアフォーム等、もしくはこれらに無機軽量骨材、無機繊維等の無機材を混入したもの等からなるものである。
【００１６】
以上説明したのは、本発明に係る建築用パネルの一実施例にすぎず、図７〜図１５に示すように建築用パネルＡを形成することができる。
【００１７】
図７（ａ）〜（ｄ）〜図９（ａ）〜（ｄ）は固定部１８のその他の実施例を示すものである。
【００１８】
また、図１０（ａ）〜（ｃ）〜図１４（ａ）〜（ｅ）は建築用パネルＡのその他の実施例を示すものであり、表面材１の雄型連結部４、雌型連結部５、化粧面６、裏面材２、芯材３等を各々変形した建築用パネルＡである。
【００１９】
特に図１３（ａ）、（ｂ）は表面材１の裏面に突起２１、仕切２２を形成し、合成樹脂発泡体２０が経時的変形により変形して表面材１と芯材３が剥離したり、全体的に凹凸状に変形したりするのを防止した建築用パネルＡである。
【００２０】
図１５は表面材１部分を拡大して示す断面図であり、図のように合成樹脂２３（プラスチック）にレゾール型フェノール樹脂粉末２４を添加して混在させたものである。
【００２１】
レゾール型フェノール樹脂粉末２４としては、例えば球形で大きさは０．０２〜１０ｍｍ位、嵩密度は０．０６５〜０．８ｇ／ｃｍ３  位であり、（ａ）熱溶融タイプ、（ｂ）部分的熱溶融タイプ、（ｃ）熱不溶融型、あるいは（ｄ）焼成タイプ、等の４種類があって、特に真球の場合は流動性がよい。このレゾール型フェノール樹脂粉末２４の使用目的は、（１）耐熱性に欠ける合成樹脂２３の耐熱性の向上、（２）圧縮強度に欠ける合成樹脂２３の機械強度の向上、（３）耐候性の向上、（４）化粧面外観のフラット性維持強化、（５）合成樹脂２３成形時の流動性の改善、等のためである。なお、添加量は目的によって異なるが例えば合成樹脂２３の原料１００重量部に対し、１０〜２００重量部位である。
【００２２】
そこで、このレゾール型フェノール樹脂粉末２４を混在した建築用パネルＡに対しＪＩＳ−Ａ−１３２１による準不燃試験を行ったところ、合格であった。
【００２３】
なお、図において各種構成で建築用パネルＡを形成しているが、これらを芯材３を形成しないもの（表面材１のみのもの）、芯材３を形成し裏面材２を形成しないもの（表面材１の裏面に芯材３のみを形成したもの）等、任意に形成することができるものである。
【００２４】
【発明の効果】
上述したように本発明に係る建築用パネルによれば、（１）耐候性の向上が図れる。（２）表面材が合成樹脂のために錆びず、腐れたりしない。（３）表面材が合成樹脂のために軽量化が図れ、施工性がよい。（４）切断等の加工性がよい。（５）施工後の熱による建築用パネルの伸縮を固定部で吸収でき、建築用パネルＡ自体が伸縮しても、化粧面が変形し歪んでしまうことが無い。（６）熱収縮による建築用パネル自体の変形により、躯体から建築用パネルが剥離してしまうことが無い。（７）突起の間隔を固定具の釘部の直径と殆ど同じ幅で形成したために、突起により固定具が支持され、固定具を簡単に垂直に打設できる。（８）難しい樹脂パネルの固定能率の向上、固定の簡素化、固定の確実化を図ることができる。等の特徴、効果がある。
【図面の簡単な説明】
【図１】本発明に係る建築用パネルの一実施例を示す断面図である。
【図２】本発明に係る建築用パネルの施工状態を示す断面図である。
【図３】本発明に係る建築用パネルの実施例を示す断面図である。
【図４】本発明に係る建築用パネルの実施例を示す断面図である。
【図５】本発明に係る建築用パネルの実施例を示す拡大断面図である。
【図６】本発明に係る建築用パネルのその他の実施例を示す斜視図である。
【図７】本発明に係る建築用パネルのその他の実施例を示す断面図である。
【図８】本発明に係る建築用パネルのその他の実施例を示す断面図である。
【図９】本発明に係る建築用パネルのその他の実施例を示す断面図である。
【図１０】本発明に係る建築用パネルのその他の実施例を示す断面図である。
【図１１】本発明に係る建築用パネルのその他の実施例を示す断面図である。
【図１２】本発明に係る建築用パネルのその他の実施例を示す断面図である。
【図１３】本発明に係る建築用パネルのその他の実施例を示す断面図である。
【図１４】本発明に係る建築用パネルのその他の実施例を示す断面図である。
【図１５】本発明に係る建築用パネルのその他の実施例を示す断面図である。
【図１６】従来例を示す断面図である。
【符号の説明】
ａ  間隙
Ａ  建築用パネル
α  躯体
β  固定具
β１    頭部
β２    釘部
１  表面材
２  裏面材
３  芯材
４  雄型連結部
５  雌型連結部
６  化粧面
７  側面
８  上面
９  嵌合面
１０  嵌合溝
１１  側面
１２  係合面
１３  下面
１４  係合溝
１５  固定面
１６  突条
１７  固定孔
１８  固定部
１９  樋状部
２０  合成樹脂発泡体
２１  突起
２２  仕切
２３  合成樹脂
２４  レゾール型フェノール樹脂粉末
【図１】
0003595848.tif 000002
【図２】
0003595848.tif 000003
【図３】
0003595848.tif 000004
【図４】
0003595848.tif 000005
【図５】
0003595848.tif 000006
【図６】
0003595848.tif 000007
【図７】
0003595848.tif 000008
【図８】
0003595848.tif 000009
【図９】
0003595848.tif 000010
【図１０】
0003595848.tif 000011
【図１１】
0003595848.tif 000012
【図１２】
0003595848.tif 000013
【図１３】
0003595848.tif 000014
【図１４】
0003595848.tif 000015
【図１５】
0003595848.tif 000016
【図１６】
0003595848.tif 000017